(57)【要約】【課題】  パレットに付着した水が凍結して支持具を付着させ、また、溶けた水がパレットに積載した荷物を濡らすという問題があった。【解決手段】  第１側板と直交する第２側板の上部間に天板を配設し、第１側板と直交し第２側板とは平行な固定板を天板の端部に下向き突設し、前記固定板の第１側板側を切り欠いて第１側板側とは反対側に係合片を形成し、前記天板より上方に向かって支柱を設けてなる支持具を取り付け可能な合成樹脂製パレットであって、パレットのコーナー部に支持具取付部を形成してなり、前記支持具取付部は、コーナー部に形成した凹面内に係合片が嵌入される嵌入孔と天板が載置される突片が突設されており、前記凹面の直交する２つの端面はパレット側面に開放するように形成されている。【選択図】        図２
2007022621.tif 000002
【特許請求の範囲】
【請求項１】
第１側板と直交する第２側板の上部間に天板を配設し、第１側板と直交し第２側板とは平行な固定板を天板の端部に下向き突設し、前記固定板の第１側板側を切り欠いて第１側板側とは反対側に係合片を形成し、前記天板より上方に向かって支柱を設けてなる支持具を取り付け可能な合成樹脂製パレットであって、パレットのコーナー部に支持具取付部を形成してなり、前記支持具取付部は、コーナー部に形成した凹面内に係合片が嵌入される嵌入孔と天板が載置される突片が突設されており、前記凹面の直交する２つの端面はパレット側面に開放するように形成されていることを特徴とする合成樹脂製パレット。
【請求項２】
凹面はパレット側面に向かって下方に傾斜した傾斜面に形成されていることを特徴とする請求項１に記載の合成樹脂製パレット。
【請求項３】
突片は２つ以上であることを特徴とする請求項１または２に記載の合成樹脂製パレット。
【請求項４】
突片の上面は湾曲面に形成されていることを特徴とする請求項１〜３のいずれか１項に記載の合成樹脂製パレット。
【請求項５】
突片の上面高さは、上部デッキボードの上面よりも低く形成されていることを特徴とする請求項１〜４のいずれか１項に記載の合成樹脂製パレット。
【発明の詳細な説明】
【技術分野】
【０００１】
この発明は、合成樹脂製パレットに係り、詳しくは、パレットのコーナーに支持具を着脱自在に取り付けられる合成樹脂製パレットに関する。
【背景技術】
【０００２】
従来、合成樹脂製パレットの４つのコーナーに支持具を取り付け、パレットを載置してパレットを段積みすることにより、パレットの収納空間を有効に使用することが行われている。このようなパレットとして、特開平１０−１２９６６１号公報に記載されたようなものが提案されている。
【０００３】
これらの支持具は、特開平１０−１２９６６１号公報に記載されているように、第１側板と直交する第２側板の上部間に天板を配設し、第１側板と直交し第２側板とは平行な固定板を天板の端部に下向き突設し、前記固定板の第１側板側を切り欠いて第１側板側とは反対側に係合片を形成し、前記天板より上方には、第１側板と第２側板を延長せしめてなる支柱を備えてなる。
【０００４】
一方、前記支持具を取り付け可能な合成樹脂製パレットは、第１側板と第２側板をそれぞれパレットのコーナーの側面に当接して取り付けたとき、前記固定板が嵌合する溝と前記溝の奥に係合片が嵌入される嵌合孔が形成されている。そして、天板を載置するコーナーの上面は、パレットの他の上面と同一面とした平滑面に形成されている。
【特許文献１】特開平１０−１２９６６１号公報（図１及び図２）
【発明の開示】
【発明が解決しようとする課題】
【０００５】
一般に、支持具を取り付けることができる合成樹脂製パレットにおいては、支持具の天板がパレット上面に当接するので、冷凍倉庫に保管中に付着した水が凍結して支持具をパレットにくっつかせ、パレットから取り外すのが困難になったり、溶けた水がパレットに積載された荷物を濡らすという問題がある。
【０００６】
これらの問題を解決するために、特開平１０−１２９６６１号公報記載のパレットは、固定板が嵌合する溝側に傾斜する傾斜面を形成することが提案されている。しかしながら、傾斜面は溝側にのみ形成されているので凍結を防ぎ、溶けた水を流すには十分でないとともに、溶けた水は嵌合孔に入り、下段のパレットに積載された荷物をぬらすという問題がある。
【０００７】
そこで、パレットに付着した水が凍結して支持具をパレットにくっつかせるのを防止するとともに、溶けた水はパレットの側面に流れ落ちるようにした合成樹脂製パレットを提供するものである。
【課題を解決するための手段】
【０００８】
この発明に係る合成樹脂製パレットは、上記目的を達成するために次のような構成とした。即ち、この発明に係る合成樹脂製パレットは、第１側板と直交する第２側板の上部間に天板を配設し、第１側板と直交し第２側板とは平行な固定板を天板の端部に下向き突設し、前記固定板の第１側板側を切り欠いて第１側板側とは反対側に係合片を形成し、前記天板より上方に向かって支柱を設けてなる支持具を取り付け可能な合成樹脂製パレットであって、パレットのコーナー部に支持具取付部を形成してなり、前記支持具取付部は、コーナー部に形成した凹面内に係合片が嵌入される嵌入孔と天板が載置される突片が突設されており、前記凹面の直交する２つの端面はパレット側面に開放するように形成されていることを特徴とする。前記凹面はパレット側面に向かって下方に傾斜した傾斜面に形成することが好ましい。また、突片は２つ以上であり、上面を湾曲面に形成することが好ましい。また、突片の上面高さは、上部デッキボードの上面よりも低く形成することができる。
【発明を実施するための最良の形態】
【０００９】
この発明に係る合成樹脂製パレットを、図示する実施形態に基づいて詳細に説明する。この発明の実施形態を説明する前に、着脱自在に取り付けられる支持金具の構成について概略説明する。
【００１０】
図１は、支持具の一例を示す斜視図であって、支持具本体１と前記支持具本体１に一体に固着される支柱６とからなる。支持具本体１は、第１側板２と前記第１側板２に直交する第２側板３の上部間に天板４を配設し、第１側板２と直交し第２側板３とは平行な固定板５を天板４の端部に下向き突設し、前記固定板５の第１側板２側の下端部に切欠部５ａを設け、切欠部５ａの上部を係止片５ｂとするとともに、第１側板２とは反対側に係合片５ｃを形成してなる。そして、前記天板４より上方には、略Ｌ字状の支柱６を突設してなる。
【００１１】
前記支柱６は、天板４の上面に突設したが、第１側板２と第２側板３をそのまま延長せしめて支柱を形成してもよい。この場合には、天板４は第１側板２と第２側板３の内側に配設すればよい。また、支柱６の構造は、前記Ｌ字状支柱に限定されるものではなく、天板４上にパイプ状支柱を立設したり、第１側板２又は第２側板３のコーナー側外面にパイプ状支柱を固着してなる構造であってもよい。また、支持具本体及び支柱の材質は、金属、木材、合成樹脂等が好ましい。
【００１２】
次に、上記支持金具本体１を取り付けるパレットについて説明する。パレットＰは、図２に示すように、上部デッキボード１１と下部デッキボード１２を桁１３で連結してなり、前記上部デッキボード１１と下部デッキボード１２と桁１３で囲まれた部分をフォークリフトのフォークを差し込むためのフォーク差込孔１４としている。上部デッキボード１１と下部デッキボード１２は、公知の構造とすることができ、特に限定されるものではない。
【００１３】
上部デッキボード１１の上面コーナー部には、上記支持具本体１を取り付けるための支持具取付部１５が形成されている。支持具取付部１５は、上部デッキボード１１のコーナー部に平面において天板４とほぼ同じか、わずかに大きい凹面１６を形成し、前記凹面１６の内側端縁部に前記係合片５ｃが嵌入される嵌入孔１７が形成されている。さらに、前記凹面１６には、天板４を載置する突片１８が突設されている。
【００１４】
なお、係合片５ｃが固定板５の端部ではなく中央部よりに形成されている場合には、凹面１６の大きさは、上記実施形態のように、前記天板と同じか、わずかに大きく形成することに限定されるものではなく、天板より小さく形成してもよい。
【００１５】
前記凹面１６のコーナー部は、パレットの四隅の側面に開放されており、凹面１６の深さ寸法は、支持具本体１の係止片５ｂの高さ寸法と同じか、大きく形成されている。さらに、凹面１６は、水平面であってもよいが、突片１８と同一方向にパレットの側面に向かって下方に傾斜する傾斜面に形成することが好ましい。このように、凹面１６を傾斜面に形成することによって、冷凍倉庫から出されて支柱が温められることによって露が溶けた場合でも、水は傾斜面に沿ってパレットの側面に流れ落ちるので荷物を濡らしたり、下段のパレットの上面に流れ落ちることがない。
【００１６】
前記嵌入孔１７は、支持具本体１を取り付けたとき係合片５ｃが嵌入されるように、凹面１６の内側角部に設けられており、上部デッキボード１１を厚さ方向に貫通して形成されている。嵌入孔１７の位置は、係合片５ｃに対応して変更される。
【００１７】
前記突片１８は、平面が長方形状に形成されパレットの一方の側面と平行に突設されており、上面を上部デッキボードの上面と同一面に形成されている。突片１８の上面をデッキボード上面と同一面に形成すると、天板はデッキボードの上面から突出することになるので、支持具本体１の天板４の肉厚分だけ低く形成してもよい。突片１８の上面を天板４の肉厚分だけ上部デッキボードの上面よりも低く形成する場合には、その分凹面１６の深さを深く形成すればよい。
【００１８】
また、突片１８の上面は、水平な平滑面であってもよいが湾曲面に形成してもよい。突片１８の上面を湾曲面に形成した場合には、天板４との接触面が小さくなり冷凍倉庫内における凍結によって、支持具本体１とパレットとのくっつきをより有効に防止することができる。
【００１９】
図５は支持具取付部１５の第２実施形態を示し、図６は第３実施形態を示す。いずれの実施形態とも支持具取付部１５における凹面１６と嵌入孔１７の構成については第１実施形態と同じであり、突片１８の形状のみが異なる。したがって、同一構成については同一符号を付してその説明は省略する。但し、凹面１６の傾斜面は、第１実施形態と異なり、コーナー部に向かって下方に傾斜する傾斜面とすることができる。このように、コーナー部に向かう傾斜面とした場合には、水をコーナー部から流れ落ちるようにすることができる。特に、図６に示す第３実施形態のように、突片をコーナー部から離して形成した場合に有効である。
【００２０】
図５に示す第２実施形態の突片１８ａはコーナー部の先端に突設され、突片１８ｂと突片１８ｃ外側面はパレットの側面と同一面になるように突設されている。突片１８ｂは、上部デッキボードの上面と連続し凹面内に突き出して一体に設けられているが、突片１８ｃは、デッキボードの上面との間に隙間を設けて突設されている。突片１８ａ〜１８ｃの突出高さは、第１実施形態の場合と同様に、上部デッキボードの上面よりも支持具本体１の天板４の肉厚分だけ低く形成してもよい。このように、突片１８ａ〜１８ｃの上面を低く形成した場合には、天板４の上面と上部デッキボードの上面とを同一面に形成することができる。
【００２１】
次に、図６に示す第３実施形態の突片１８ｄ〜１８ｆは、パレットの側端面から離れて凹面１６の内側に突設されている。そして、突片１８ｄ〜１８ｅの平面形状はそれぞれ異なっており、突片１８ｄは四角形、突片１８ｅは台形、突片１８ｆは六角形に形成されている。また、突片１８ｄ〜１８ｆの突出高さを、第１実施形態の場合と同様に、突片１８、突片１８ａ〜１８ｃと同様に上部デッキボードの上面よりも支持具本体１の天板４の肉厚分だけ低く形成してもよい。
【００２２】
なお、上記実施形態において示すように、突片の形状、高さ及び数等は、任意に決定することができ、上記実施形態に限定されるものではない。また、突片は、支持具本体１の天板４を水平に載置できるものであればよい。
【００２３】
上記構成のパレットに支持具本体１を取り付けるには、嵌入孔１７に係合片１５ｃを嵌入させるとともに、第１側板２及び第２側板３をパレットのコーナー部の外側に位置させて天板４を突片１８に載置させればよい。係止片５ｂは凹面１６に挿入されるので、天板４は水平に着脱自在に取り付けることができる。第１側板２及び第２側板３はパレットの側面に係止し、係合片５ｃは嵌入孔１７に挿入されているので、支柱６はパレットに確実に取り付けられることになる。
【図面の簡単な説明】
【００２４】
【図１】この発明に係る合成樹脂製パレット取り付けられる支持具の一例を示す斜視図である。
【図２】この発明に係る合成樹脂製パレットの斜視図である。
【図３】同じくコーナー部を示す部分拡大図である。
【図４】合成樹脂製パレットと支持具の取り付け前の部分拡大斜視図である。
【図５】第２実施形態の支持具取付部を示す部分斜視図である。
【図６】第３実施形態の支持具取付部を示す部分斜視図である。
【符号の説明】
【００２５】
１：支持具本体  
２：第１側板
３：第２側板  
４：天板
５：固定板  
５ａ：切欠部
５ｂ：係止片  
５ｃ：係合片  
６：Ｌ字状支柱
１１：上部デッキボード  
１２：下部デッキボード
１３：桁
１４：フォーク差込孔
１５：支持具取付部  
１６：凹面  
１７：嵌入孔
１８：突片
【図１】
2007022621.tif 000003
【図２】
2007022621.tif 000004
【図３】
2007022621.tif 000005
【図４】
2007022621.tif 000006
【図５】
2007022621.tif 000007
【図６】
2007022621.tif 000008